(57)【要約】【課題】本発明は、乗客に対するサービスの低下をなくし、電力の浪費をなくすことができる階床表示装置を備えた乗客コンベアを提供することにある。【解決手段】本発明は、階床表示装置５を備えた乗客コンベアにおいて、前記階床表示装置５を、踏段１の起動−停止に連動して表示内容が起動−停止すると共に、前記踏段１の移動方向の変化に連動して表示内容の向きが切替わるように構成したのである。【選択図】　図１
2004099198.tif 000002
【特許請求の範囲】
【請求項１】
２つの離れた乗降口に設けられた乗降床間を無端状に連結されて移動する踏板と、この踏板の移動方向の両側に立設された欄干と、この欄干の周縁に案内され前記踏板と同期移動する移動手摺と、前記乗降口の近傍に設けた階床表示装置を備えた乗客コンベアにおいて、前記階床表示装置は、前記踏板の起動−停止に連動して表示内容が起動−停止すると共に、前記踏板の移動方向の変化に連動して表示内容の向きが切替わるように構成されていることを特徴とする乗客コンベア。
【請求項２】
前記階床表示装置は、前記乗降床に設けられていることを特徴とする請求項１記載の乗客コンベア。
【請求項３】
前記内容は、階床を表示する文字及び／または運転方向を表示する記号であることを特徴とする請求項１または２記載の乗客コンベア。
【発明の詳細な説明】
【０００１】
【発明の属する技術分野】
本発明は、エスカレーターや動く歩道等の乗客コンベアに係り、特に、階床表示装置を備えた乗客コンベアに関する。
【０００２】
【従来の技術】
【特許文献１】特開平３−２６６９０号公報
【特許文献２】実開平２−４０７７６号公報
従来の乗客コンベアの階床表示装置は、表示内容として乗降床に階床文字を設けたり（特許文献１）、運転方向を示す記号を乗降床に設けたり（特許文献２）していた。
【０００３】
【発明が解決しようとする課題】
上記前者は、階床文字を表示できたとしても、その階床文字が固定されているので、踏板の移動方向が変わった場合には乗客に対して階床文字が逆向きになり、サービスが低下する問題がある。
【０００４】
また上記後者は、乗客コンベアの起動−停止に連動して運転方向を表示する記号を起動−停止することは配慮されておらず、乗客コンベアの起動−停止操作と同時に、運転方向を表示する記号の起動−停止操作を行わねばならない問題がある。その結果、乗客コンベアの管理者の手数を煩わしたり、管理者の不手際で運転方向を表示しなかった場合には、乗客に対するサービスを低下させる問題がある。さらに、乗客コンベアの停止時に、運転方向を表示する記号の停止操作を忘れると、運転方向を表示する記号が起動されたままとなり、無駄な電力を浪費することになる。
【０００５】
本発明の目的は、乗客に対するサービスの低下をなくし、電力の浪費をなくすことができる階床表示装置を備えた乗客コンベアを提供することにある。
【０００６】
【課題を解決するための手段】
本発明は上記目的を達成するために、階床表示装置を備えた乗客コンベアにおいて、前記階床表示装置を、前記踏板の起動−停止に連動して表示内容が起動−停止すると共に、前記踏板の移動方向の変化に連動して表示内容の向きが切替わるように構成したのである。
【０００７】
上記のように、乗客コンベアの起動−停止に連動して階床表示装置の起動−停止が行えるので、管理者の操作ミスをなくして電力の浪費をなくすことができる。また、踏板の移動方向に連動して階床表示装置の表示内容の向きを変えることができるので、乗客は運転方向に沿って表示内容を識別することができるので、サービスの低下はなくなる。
【０００８】
【発明の実施の形態】
以下、本発明の一実施の形態を図１〜図４に基づいて説明する。図１は、一方の乗降口付近の平面図、図２は図１のＩＩ−ＩＩ線に沿う拡大断面図、図３は上昇運転時における図１相当図、図４は下降運転時における図１相当図である。
【０００９】
乗客コンベア、例えばエスカレーターは、２つの離れた乗降口（ここでは一方側の乗降口のみを示す）間を無端状に連結されて移動し乗客が乗る踏板１を有する踏段を備えている。この踏段の移動方向の両側には欄干２が立設され、この欄干２の周縁には前記踏段と同期移動する移動手摺３が案内されている。そして前記乗降口には前記踏段に乗降するための乗降床４が設けられ、この乗降床４に階床表示装置５が設けられている。また、前記欄干２を構成するデッキカバー６の前記乗降口近傍には運転スイッチ７が設けられている。
【００１０】
ここで自階床表示装置５は、乗降床４に設けた表示開口部８Ａと、乗降床４の裏面に取付け内部に光源８Ｂを備えた光源箱８Ｃと、前記光源８Ｂに別置の電源から給電するリード線８Ｄとを備えている。
【００１１】
前記表示開口部８Ａは、デジタル数字等の階床番号を表示する各種文字及び／または踏段１の運転方向を表示する記号に合わせてプレス等による打抜きや切削等により開けられた開口部である。そして前記光源８Ｂは、前記表示開口部８Ａに向かって発光する液晶や発行素子等からなる。
【００１２】
さらに、この光源８Ｂが表示する数字や記号は、図３に示すように踏段１が上昇運転（矢印Ｙ１方向）している場合は、降り客の視覚で正しく視認できる向き（降り方向から見て“４”）に、前記踏段１の移動方向に連動して切替えられる構成となっている。また、図４に示すように下降運転（矢印Ｙ２方向）している場合は、乗り客の視覚で正しく視認できる向き（乗り方向から見て“４”）に、前記踏段１の移動方向に連動して切替えられる構成となっている。
【００１３】
この場合、階床表示装置５への表示方向点灯指令は、詳細な図示は省略するが、運転スイッチ７が上昇運転方向に操作された場合は図３に示す表示方向となる点灯の指令を発する。逆に運転スイッチ７が下降運転方向に操作された場合は図４に示す表示方向となる点灯の指令を発する。このように、踏段と移動手摺３の起動−停止動作に連動して、その表示機能を起動―停止させている。
【００１４】
したがって、本実施の形態によれば、管理者が始業時に運転スイッチ７を投入してエスカレーターを上昇運転（下降運転）させると、階床表示装置５が起動して階床表示と運転方向表示を上昇運転（下降運転）に合わせて表示する。
【００１５】
その結果、エスカレーターを起動したが、階床表示装置５の起動を忘れることがなくなり、乗客に対してのサービスの低下はなくなる。
【００１６】
さらに、就業時に管理者が運転スイッチ７を切ってエスカレーターの運転を停止させれば、階床表示装置５も同時に起動を停止されるので、階床表示装置５の起動停止を忘れて常時点灯させることによる無駄な電力の浪費はなくなる。
【００１７】
この他、管理者が行う運転スイッチ７の手動操作によって、あるいは自動運転装置によってエスカレーターの運転方向が切替えられると、同時に階床表示装置５の階床表示と運転方向表示も乗降客の視覚で正しく視認できる向きに切替えられるので、乗客に対してのサービスの低下はなくなる。
【００１８】
尚、上記実施の形態は乗客コンベアとしてエスカレーターを一例に説明したが、エスカレーターに限らず踏板間に段差が発生しない動く歩道にも適用できる。
【００１９】
さらに、上記実施の形態は、階床表示装置５を乗降床４の裏側に設けた例を示したが、乗降床４に限らず、欄干構成部材や乗客コンベアが設置される建築物に階床表示装置を設けてもよい。
【００２０】
【発明の効果】
このように本発明によれば、乗客に対するサービスの低下をなくし、電力の浪費をなくすことができる階床表示装置を備えた乗客コンベアを得ることができる。
【図面の簡単な説明】
【図１】本発明による一実施の形態であるエスカレーターの乗降口近傍を示す平面図。
【図２】図１のＩＩ−ＩＩ線に沿う拡大断面図。
【図３】上昇運転時における図１相当図。
【図４】下昇運転時における図１相当。
【符号の説明】
１…踏板、２…欄干、４…乗降床、５…階床表示装置、７…運転スイッチ、８Ａ…表示開口部、８Ｂ…光源、８Ｃ…光源箱、８Ｄ…リード線。
【図１】
2004099198.tif 000003
【図２】
2004099198.tif 000004
【図３】
2004099198.tif 000005
【図４】
2004099198.tif 000006